(57)【要約】【課題】  大きな電流に対してレギュレータの容量を大きくすることなく、自動的に安定した出力を確保することができる安定化電源を提供する。【解決手段】  複数のレギュレータＲＥＧ１、ＲＥＧ２を有する安定化電源において、後段のレギュレータＲＥＧ２の出力側に電流検出手段２を有し、その電流検出信号に応じて自動的に後段のレギュレータＲＥＧ２の入力電圧を切り換え、レギュレータの出力を確保する。【選択図】        図１
2005092367.tif 000002
【特許請求の範囲】
【請求項１】
複数のレギュレータを有する安定化電源において、後段のレギュレータの出力側に電流検出手段を有し、該電流検出手段により検出された電流検出信号に応じて自動的に前記後段のレギュレータの入力電圧を切り換え、レギュレータの出力を確保することを特徴とする安定化電源。
【請求項２】
複数のレギュレータを有する安定化電源において、後段のレギュレータの入力側に電流検出手段を有し、該電流検出手段により検出された電流検出信号に応じて自動的に前記後段のレギュレータの入力電圧を切り換え、レギュレータの出力を確保することを特徴とする安定化電源。
【請求項３】
複数のレギュレータを有する安定化電源において、後段のレギュレータの入力電圧を供給する前段のレギュレータの出力側に電流検出手段を有し、該電流検出手段により検出された電流検出信号に応じて自動的に前記後段のレギュレータの入力電圧を切り換え、レギュレータの出力を確保することを特徴とする安定化電源。
【発明の詳細な説明】
【技術分野】
【０００１】
本発明は、複数のレギュレータを有する安定化電源に関する。
【背景技術】
【０００２】
複数のレギュレータを有し、供給電源から各レギュレータを通じて２つ以上の出力電源を得る安定化電源が広く利用されている。なお、例えば、特許文献１には、電力損失を抑えながら出力電圧の立ち上がりシーケンスを制御することのできる電源装置が開示されている。
【特許文献１】特開２００１−２０２１４３公報
【発明の開示】
【発明が解決しようとする課題】
【０００３】
従来、各出力電源の出力電流の総和に応じて、レギュレータの容量を選定する必要があり、１つのの出力電流が大きくなる場合に、その入力電圧を生成しているレギュレータの容量もそれに応じた容量にする必要があった。
本発明は、大きな電流に対してレギュレータの容量を大きくすることなく、自動的に安定した出力を確保することができる安定化電源を提供することを目的とする。
【課題を解決するための手段】
【０００４】
上記目的を達成するために、請求項１記載の発明は、複数のレギュレータを有する安定化電源において、後段のレギュレータの出力側に電流検出手段を有し、該電流検出手段により検出された電流検出信号に応じて自動的に前記後段のレギュレータの入力電圧を切り換え、レギュレータの出力を確保することを特徴とする。
請求項２記載の発明は、複数のレギュレータを有する安定化電源において、後段のレギュレータの入力側に電流検出手段を有し、該電流検出手段により検出された電流検出信号に応じて自動的に前記後段のレギュレータの入力電圧を切り換え、レギュレータの出力を確保することを特徴とする。
請求項３記載の発明は、複数のレギュレータを有する安定化電源において、後段のレギュレータの入力電圧を供給する前段のレギュレータの出力側に電流検出手段を有し、該電流検出手段により検出された電流検出信号に応じて自動的に前記後段のレギュレータの入力電圧を切り換え、レギュレータの出力を確保することを特徴とする。
【発明の効果】
【０００５】
本発明によれば、複数のレギュレータを有する安定化電源において、後段のレギュレータの出力側に電流検出手段を有し、または、後段のレギュレータの入力側に電流検出手段を有し、または、後段のレギュレータの入力電圧を供給する前段のレギュレータの出力側に電流検出手段を有し、その電流検出信号に応じて自動的に後段のレギュレータの入力電圧を切り換え、レギュレータの出力を確保するようにしたので、所期の目的を達成することができる。
【発明を実施するための最良の形態】
【０００６】
以下、本発明の実施の形態を図面に従って説明する。
図１は本発明の第１の実施形態に係る安定化電源の回路図、図４はその詳細回路図、図７はそのフローチャートである。５Ｖ供給電源（Ｖ０）と、それから生成される３．３Ｖ（Ｖ１）、２．５Ｖ（Ｖ２）の２つの出力電源系統をレギュレータＲＥＧ１、ＲＥＧ２で構成し、各レギュレータ容量をＲＥＧ１：２Ａ、ＲＥＧ２：３Ａとする。またそれらレギュレータ電圧差による損失（発熱）を軽減するため、通常時はＲＥＧ１の入力電圧を５Ｖ（Ｖ０）、ＲＥＧ２の入力電圧を３．３Ｖ（Ｖ１）とする。
図４において、Ｖ１の電流が１Ａと変動がない場合、Ｖ２の電流が１Ａ以上になるとＲＥＧ１の容量２Ａを越えてしまう。よって、Ｖ２の電流が１Ａ以上になると、ＲＥＧ２の前段に設けた入力電圧切り換え回路１によりＲＥＧ２の入力をＲＥＧ１出力→５Ｖ（Ｖ０）に切り換えるように、ＲＥＧ２の後段に設けた電流検出回路２における電流検出抵抗Ｒ１、Ｒ５、Ｒ６の抵抗値により電流検出値を調整・設定する。
ＲＥＧ２に１Ａ以上の大きな電流が流れた場合に、電流検出抵抗Ｒ１の電圧が高くなると共に、ＴＲ１のエミッタ−ベース間の電圧が高くなるのでＴＲ１がＯＮ状態となる。その信号によりＴＲ２もＯＮ状態となるので、ＴＲ３がＯＦＦしＴＲ４がＯＮすることで、ＲＥＧ２の入力電圧をＲＥＧ１出力から５Ｖ（Ｖ０）に自動的に切り換えることができる。よって、ＲＥＧ１の容量を超えることなく、電流変動に対して自動的に安定した出力を確保することができる。
【０００７】
図２は本発明の第２の実施形態に係る安定化電源の回路図、図５はその詳細回路図である。第２の実施形態では、電流検出回路２をＲＥＧ２の前段に設けている。
図３は本発明の第３の実施形態に係る安定化電源の回路図、図６はその詳細回路図、図８はそのフローチャートである。５Ｖ供給電源（Ｖ０）と、それから生成される３．３Ｖ（Ｖ１）、２．５Ｖ（Ｖ２）の２つの出力電源系統をレギュレータＲＥＧ１、ＲＥＧ２で構成し、各レギュレータ容量をＲＥＧ１：３Ａ、ＲＥＧ２：１Ａとする。またそれらレギュレータ電圧差による損失（発熱）を軽減するため、通常時はＲＥＧ１の入力電圧を５Ｖ（Ｖ０）、ＲＥＧ２の入力電圧を３．３Ｖ（Ｖ１）とする。
図６において、ＲＥＧ１の容量３Ａ以内での電流確保のため、電流検出回路２における電流検出抵抗Ｒ１、Ｒ５、Ｒ６の抵抗値により電流検出値を３Ａ（ＲＥＧ１容量）−１Ａ（ＲＥＧ２容量）＝２Ａに調整・設定する。
Ｖ１に２Ａ以上の大きな電流が流れた場合に、電流検出抵抗Ｒ１の電圧が高くなると共に、ＴＲ１のエミッタ−ベース間の電圧が高くなるのでＴＲ１がＯＮ状態となる。その信号によりＴＲ２もＯＮ状態となるので、ＴＲ３がＯＦＦしＴＲ４がＯＮすることで、ＲＥＧ２の入力電圧をＲＥＧ１出力から５Ｖ（Ｖ０）に自動的に切り換えることができる。よって、ＲＥＧ１の容量を超えることなく、電流変動に対して自動的に安定した出力を確保することができる。
【０００８】
第１の実施形態では、レギュレータの出力電流検出によりレギュレータ入力電圧を自動的に切り換えることができるので、電圧降下することなく出力の安定化を図ることができる。
第２の実施形態では、レギュレータの入力電流検出によりレギュレータ入力電圧を自動的に切り換えることができるので、電圧降下することなく出力の安定化を図ることができる。
第３の実施形態では、入力電圧を供給するレギュレータの出力電流検出によりレギュレータ入力電圧を自動的に切り換えることができるので、電圧降下することなく出力の安定化を図ることができる。
【図面の簡単な説明】
【０００９】
【図１】本発明の第１の実施形態に係る安定化電源の回路図。
【図２】本発明の第２の実施形態に係る安定化電源の回路図。
【図３】本発明の第３の実施形態に係る安定化電源の回路図。
【図４】本発明の第１の実施形態に係る安定化電源の詳細回路図。
【図５】本発明の第２の実施形態に係る安定化電源の詳細回路図。
【図６】本発明の第３の実施形態に係る安定化電源の詳細回路図。
【図７】本発明の第１、第２の実施形態に係る安定化電源の動作フローチャート。
【図８】本発明の第３の実施形態に係る安定化電源の動作フローチャート。
【符号の説明】
【００１０】
Ｖ０  供給電源
Ｖ１、Ｖ２  出力電源
ＲＥＧ１  前段のレギュレータ
ＲＥＧ２  後段のレギュレータ
１  入力電圧切り換え回路
２  電流検出回路（電流検出手段）
【図１】
2005092367.tif 000003
【図２】
2005092367.tif 000004
【図３】
2005092367.tif 000005
【図４】
2005092367.tif 000006
【図５】
2005092367.tif 000007
【図６】
2005092367.tif 000008
【図７】
2005092367.tif 000009
【図８】
2005092367.tif 000010